(57)【特許請求の範囲】
【請求項１】
支柱の外周に周回されるバンド状部と、このバンド状部の両端より平行に突出されて、横棧の端部を挟着する挟着部とからなる継手において、該バンド状部の支柱と対向する裏面側に係止手段が設けられ、バンド状部を支柱に周回させて前記挟着部を横棧に挟着させた際、前記係止手段が支柱側面部に係止されて支柱と横棧との接続がなされる支柱と横棧の継手であって、バンド状部に設けられた前記係止手段が、バンド状部に突設した複数の圧接部として形成されると共に前記圧接部はこのバンド状部が支柱の外周に沿って周回された際に支柱の横棧側の半円周側面側において支柱と当接されるような位置に形成されており、継手の挟着部を横棧の端部に挟着させた際に、該複数の圧接部が支柱の横棧側の半円周側面に強圧接されて、支柱と横棧との接続がなされることを特徴とする支柱と横棧の継手。
【請求項２】
バンド状部のほぼ中央部に曲げ剛性の異なる変異部が設けられ、挟着部の間隔を拡幅した際に該変異部を中心としてバンド状部が拡開されるようになされたことを特徴とする請求項１に記載の支柱と横棧の継手。
【請求項３】
支柱と対向するバンド状部の裏面側に凸部が形成され、一方支柱の側面に前記凸部に対応して凹部または孔部が形成され、挟着部を横棧に挟着させた際に、バンド状部に形成された凸部が支柱の凹部または孔部に係着された状態で支柱と横棧との接続がなされることを特徴とする請求項１または２に記載の支柱と横棧の継手。
【請求項４】
支柱の断面外周方向に沿った複数の凹部または凹溝が、該支柱の長さ方向に間隔をおいて複数段形成され、この複数の凹部のいずれかまたは凹溝のいずれかに請求項３に記載の継手のバンド状部の裏面側に形成された凸部が係着されて支柱と横棧とが接続されるようになされたことを特徴とする支柱と横棧の接続構造。
【発明の詳細な説明】
【０００１】
【発明の属する技術分野】
本発明は、支柱と横棧を水平，垂直の各方向に対して自在に、かつ強固に接続させる継手およびこの継手を備えた接続構造に関し、とりわけ防護柵や建設現場の仮囲い等において好適に使用されるものである。
【０００２】
【従来の技術】
防護柵などの支柱と横棧を、設置しようとする地形に対応して組み立てて水平および垂直の両方の面内において自在に対応させて斜めに設置する方法に関して実公平４−３９２８５号において開示されており、図１２に示す様に支柱に合致させる支柱挟持部９１と、ビーム９３に連結されるビーム挟持部９２とからなるブラケット９の、ビーム挟持部９２に形成されたビーム９３固定用ボルト９４の孔９５および支柱９０を挟持するためのボルト９６の孔９７の２対のボルト孔のそれぞれに、各ボルトを介してビーム９３の支柱９０への取り付けがなされる。また、ブラケットの取付位置決めを行うためにブラケット９の支柱挟持部９１に位置決め板９８が固定され、この位置決め板９８が支柱９０に明けた開口９９に嵌め込まれてブラケット９の固定がなされる。
【０００３】
また、このブラケット９のビーム挟持部９２には対向する２片の上下の端部がその先端部を除いて互いに内側に折曲げられた折曲片９２０が形成されていて、該ビーム挟持部９２に固定されたビーム９３の端部が突出することがなくビーム挟持部９２の内側に収まるようになされている。
【０００４】
しかしながら、かかる実公平４−３９２８５号に示されるブラケット９を支柱９０に取り付ける際、ブラケット９のビーム挟持部９２の上下に折曲片９２０が形成されているため、このビーム挟持部９２の対向する２片を拡げて支柱９０に対してブラケット９を支柱９０側面から装着するのは不可能で、必ず支柱９０の上端部または下端部から挿通させなければならず、したがって支柱９０が立設されている場合には作業が煩雑で、あるいは支柱の上端部にすでにキャップが冠着されている場合にはブラケット９の挿通が不可能であるという問題があった。
【０００５】
さらに、ブラケット９の支柱挟持部９１の取り付け部の内側寸法の製造誤差によって支柱９０の外周にピッタリと合致されないのがしばしばであり、支柱９０を挟持するための孔９７にボルト９６が貫通されて固定されるにもかかわらず、取り付け後においてガタツキが発生したり、最悪の場合ビーム９３にかかる外力によってブラケット９の支柱挟持部９１の位置決め板９８が、支柱９０に明けられた開口９９から外れてブラケット９がズレ落ちるという問題を有していた。
【０００６】
【発明が解決しようとする課題】
本発明は上述のような問題点を解消して、支柱に対して継手を側面から容易に装着させることができ、また支柱に接続された継手がズレ落ちることなく確実に、かつ強固に固定できるような支柱と横棧の継手およびその接続構造を提供するものである。
【０００７】
【課題を解決するための手段】
上記目的を達成するために、本発明に係る支柱と横棧の継手およびこの継手を備えた接続構造は以下のように構成される。
すなわち、支柱の外周に周回されるバンド状部と、このバンド状部の両端より平行に突出されて、横棧の端部を挟着する挟着部とからなる継手において、該バンド状部の支柱と対向する裏面側に係止手段が設けられ、バンド状部を支柱に周回させて前記挟着部を横棧に挟着させた際、前記係止手段が支柱側面部に係止されて支柱と横棧との接続がなされる支柱と横棧の継手であって、バンド状部に設けられた前記係止手段が、バンド状部に突設した複数の圧接部として形成されると共に前記圧接部はこのバンド状部が支柱の外周に沿って周回された際に支柱の横棧側の半円周側面側において支柱と当接されるような位置に形成されており、継手の挟着部を横棧の端部に挟着させた際に、該複数の圧接部が支柱の横棧側の半円周側面に強圧接されて、支柱と横棧との接続がなされることを特徴とするものである。
【０００９】
さらに、継手のバンド状部のほぼ中央部分において該バンド状部の他の部分と曲げ剛性の異なる変異部が設けられて、バンド状部の両端より平行に突出された挟着部の間隔を拡幅した際に該変異部を中心としてバンド状部の他の部分を変形させることなく、バンド状部の拡開を可能にする継手を構成するものである。
【００１０】
さらにまた、継手の支柱と対向するバンド状部の裏面側に凸部が形成されて、一方支柱の側面に前記凸部に対応して凹部または孔部が形成され、継手の挟着部を横棧に挟着させた際、バンド状部に形成された凸部が支柱側面の凹部あるいは支柱側面の孔部のいずれかと係着され、継手が支柱との接続部分でズレを起こすことなく、支柱と横棧との確実な接続が維持される継手を構成するものである。
【００１１】
そしてまた、支柱の断面外周方向に沿った複数の凹部または凹溝が支柱の長さ方向に間隔をおいて複数段形成され、これらの複数の凹部のいずれかまたは凹溝のいずれかに継手のバンド状部の支柱と対向する裏面側に形成された凸部が係着され、横棧が支柱の周りに可動な状態で支柱と横棧が接続されることによって、継手と横棧との接続部における垂直面での可動性と併せて支柱と横棧とが水平面，垂直面の両方向に自在の角度を以て接続可能になされた、支柱と横棧との接続構造を構成するものである。
【００１２】
【発明の実施の形態】
次に、本発明に係る実施形態の例について、各図面を参照しながら詳述する。
図１は支柱と横棧の継手の構成の参考例を表す図面、図２〜図４は、本発明実施形態例の支柱と横棧の継手の構成を表す図面であり、図５〜図８は、本発明を適用して設置される防護柵の実施形態の例を表す図面、および防護柵の支柱と横棧の作動を説明する図面である。
【００１３】
図１においては、継手２の平行に突出された挟着部４を拡げてバンド状部３を支柱１の側面から周回させるように装着させて、挟着部４を再び平行に戻しつつキャップボルト８５によってキャップ８４が冠着させられた横棧１０の端部が、挟着ボルト８３を介して接続される様子を表している。そして、継手２のバンド状部３を支柱１の側面から押し当てて挟着部４を平行に戻して挟着ボルト８３を緊締する際に、図１（ｃ）に表すようにバンド状部３の支柱１と対向する裏面側に設けられた係止手段が、バンド状部３の縁部に形成された係止部５として形成されて支柱１の側面部に開穿された孔部８２に係止されるようになされている。したがって、この係止部５が支柱１の側面の孔部８２に係止された上で継手２と横棧１０の端部とが接続されているので、横棧１０に大きな力が加わった際にも継手２は支柱１の孔部８２の位置からズレることがなく、支柱１と横棧１０とが強固に接続される。
【００１４】
なお、継手２は鋼材やステンレススチールの板材をプレス加工で製作するのが強度上もコスト上も好適で、前記バンド状部３の係止部５は図１（ａ）に表したようにバンド状部３の縁部から折曲されて形成されるのが製造上容易であるが、バンド状部３の中央にプレス成形による切起しによって形成されていてもよい。また、図１の実施形態例では支柱中心線上の側面２箇所に開穿された孔部８２に対しそれぞれ係止部５が係止されるようになされているため、継手２を支柱１に安定して接続できて好適であるが、例えば支柱１に対して横棧１０が延設される方向と正反対側の継手のバンド状部の１箇所に係止部が形成されて、これに対応する支柱側面の１箇所の孔部に係止部が係止されて支柱１と継手２とが接続されていても強度的には十分である。
【００１５】
次に図２には、上述の図１の場合と同様に挟着部４とバンド状部３とからなる継手２において、そのバンド状部３の縁部から曲折された複数の圧接部６が突設された状態を同図の（ａ），（ｂ）に示し、（ｃ）はこの継手２を介して支柱１に横棧１０を接続させた状態を示している。ここで、バンド状部３の圧接部６はこのバンド状部３が支柱１の外周に沿って周回された際に支柱１の横棧側の半円周側面側において支柱１と当接されるような位置に形成されており、したがって継手２の挟着部４が横棧１０の端部を挟着させた状態で挟着ボルト８３が緊締されてゆくのに応じて、バンド状部３の圧接部６には図２（ｃ）に示した矢印方向に強い力がかかって、継手２は支柱１の側面に対して強力に圧接されて、よって横棧１０は支柱１に強固に接続される。なお、この図２の継手２も図１の場合と同様に鋼材やステンレススチールの板材をプレス加工で製作されるのが強度上もコスト上も好適である。
【００１６】
図２の（ａ），（ｂ）に示した２種類の継手は、それぞれが互いに対で使用されるものでもありその展開実施例を図５〜８に基づき後述するが、この２種類の継手の場合バンド状部３の縁部に形成された圧接部６はそれぞれ４ヵ所であり、支柱１の側面に対して安定してかつ強固に継手２を接続できるので好適である。また、図２（ａ），（ｂ）の様に前記バンド状部３の圧接部６はバンド状部３の縁部から折曲されて形成されるのが製造上容易であるが、バンド状部３の中央にプレス成形による切起し片、あるいはプレス絞り成形や溶接による凸状部が複数ヶ所突設されて、支柱側面に対し強力に圧接しうるようになされていてもよい。
【００１７】
続いて図３の（ａ），（ｂ）は、図２に示した２種類の継手のバンド状部３のほぼ中央部分において曲げ剛性の異なる変異部７が設けられて、該変異部を中心としてバンド状部の両端が平行に突出された挟着部４，４の間が拡幅可能となされたものであって、支柱１に対しその側面から継手２を装着するために平行する挟着部４を拡げる際、前記変異部７を中心として平行する２つの挟着部４を容易に拡げることができる。なお、図３（ａ），（ｂ）における変異部７はバンド状部３の縁部を切り欠いて形成されているが、バンド状部３中央に孔が開穿されたようなもの等、同図（ｄ）に示すようにバンド状部３全体を変形させることなく拡げられるものであればよく、例えば同図（ｃ）のようにバンド状部３の一部が変形された変異部７０となされていてもよい。
【００１８】
さらに続いて、図４（ａ）は継手２のバンド状部３の支柱と対向する裏面側に凸部８が形成された状態を表しており、このバンド状部３を支柱１に周回させて継手２の挟着部４を横棧１０の端部に挟着させた際に、図４（ｄ），（ｅ）に示すように、前記凸部８と支柱１の側面に設けられた凹部８１または孔部８２のいずれかとが位置を合わせられて係着されて支柱１と継手２との接続がなされる。特に併せて、バンド状部３の縁部に形成された前述の圧接部６が支柱１の側面に対して強力に圧接されて継手２が強固に固定される場合には、前記凸部８は単に継手２の高さ方向の取付位置ガイドとしての機能のみならず、設置後横棧１０に大きな力が加わった際にも、継手２の凸部８が支柱１の凹部８１または孔部８２から外れ落ちることなく係止されて支柱１と横棧１０が強固に接続される。
【００１９】
なお、継手２のバンド状部３の凸部８は、図４（ｂ）に表わすように継手２を構成する金属板にプレス成形によって段押しされて形成された凸部８の他、同図（ｃ）に表すようなボルト頭部が螺設された凸部８、あるいは溶接された凸部であってもよい。対する支柱１の側面加工は、この凸部８が係着される凹部または孔部のいずれであってもよく、同図（ｄ）中に示す凹部８１の場合には支柱１の内部に雨水等の水分が入る心配がなくて好適であり、同図（ｅ）中に示す後者の孔部８２の場合は加工コストが安価な点で優れている。
【００２０】
次に、以上詳述した本発明の支柱と横棧の継手を適用した防護柵の実施形態例について、図５〜図８に基づいて説明する。
図５は、適宜間隔で立設された支柱１，１の間に上下の横棧１０，１０の間に多数の縦棧１１が設けられてなる柵パネル１２が架設される形態の防護柵が、傾斜地に設置された実施形態の例を表している。ここで、多数の縦棧１１の上下の両端はそれぞれ上下の横棧１０に対して軸着されていて、柵パネル１２は角度を可変に支柱間に架設されるようになされている。また、図５に表す実施形態例では、同図（ｂ），（ｃ）に示すように横棧１０はこれに冠着されたキャップ８４を介して継手２に挟着ボルト８３によって軸着されて、柵パネル１２の取付角度の変化に対応するようになされている。
【００２１】
かような防護柵を図５（ａ）に示す傾斜地への設置手順について記載すると、
▲１▼支柱１・・を所定の配置に従って立設する。  ▲２▼端部支柱１の上下にシングルバンド継手２１を取り付け、キャップ８４を挟着ボルト８３により接続する。
▲３▼隣接する支柱１の上部にダブルバンド継手２２，キャップ８４を接続する。
▲４▼続いてその支柱下部にシングルバンド継手２１，キャップ８４を接続する。
▲５▼柵パネル１２を相隣り合う支柱１に固定した各継手に接続されたキャップ８４の下方から挿冠し、横棧１０の端部をキャップボルト８５を介して固定する。
▲６▼・・・  以下、同様の作業を繰り返してゆく。
【００２２】
図７に示すこの防護柵の平坦地での設置についても、ほぼ同様の工程によって行れるが、図７（ｃ）に表したようにダブルバンド継手２２に形成された２本のバンド状部の間にシングルバンド継手２１をかみ合わせて取り付けされる部分においては、予めこの両者が組み合わせられたうえ、支柱１上部から前記両継手の組み合わせによって形成される支柱１の外形寸法より稍々大寸法の環状部が挿通されて支柱１への接続がなされる。なおこの際、両継手はそれぞれが挟着されるまでは内寸法にある程度のゆとりがもたされているために、両者を組み合わせた際に形成される概略支柱の形状の環状部は図５〜図７（ｂ），（ｃ）中に示した支柱１の外径寸法より稍々大きい程度の外径寸法の支柱キャップ１００であれば、支柱１の立設時に支柱キャップ１００が冠着されている場合においても、前記両継手が組み合わせられた状態の継手２１，２２はなんら問題なく支柱１の上部から挿通させることができる。
【００２３】
また、前述の図５の傾斜地における柵の設置においては、横棧１０の通り芯を出して景観意匠上外観の優れた防護柵とするために、支柱１に対するシングルバンド継手２１とダブルバンド継手２２の取り付け高さ位置を上下に若干ズラして接続が行われる場合について説明したが、図７の平坦地での設置の場合と同様にシングルバンド継手２１とダブルバンド継手２２が互いにかみ合わされて支柱に接続されて傾斜地でのこの柵の組み立てがなされてもよく、その場合には図６に表すように横棧１０の通り芯が出されずに傾斜面に対し横棧１０は厳密には平行にはならないが、支柱１に対して同図（ｃ）におけるシングルバンド継手２１のバンド状部３の凸部８を、シングルバンド継手２１の２つの挟着部４を挟着させることによって支柱に形成された凹部または孔部に係着させて仮止めがなされるため、組み立て施工性の良い防護柵の設置がなされる。
【００２４】
ところで、図５〜図７の（ｂ），（ｃ）に示すシングルバンド継手２１に形成された凸部８は、いずれも支柱１の高さ方向での取付位置ガイドとしての機能と併せてこのシングルバンド継手２１を支柱１に対して確実に接続させるものであってこれに接続された横棧１０は水平面内における角度調節は不可能であるが、ダブルバンド継手２２についてはその挟着ボルト８３を緊締させるまでは自在に水平方向に角度調節ができ、したがって図８に示す如く支柱１に対する横棧１０の接続については水平面内において自在の角度にレイアウトすることができる。さらに、本発明を適用した継手２の挟着部４に対し、上記詳述の如く横棧１０は垂直面方向にも可動に角度を以て接続されるので、防護柵の支柱１と横棧１０は水平，垂直の両方向に対して自在に接続可能で、よって防護柵は傾斜地，平坦地にかかわらず平面プランに対応して自由にレイアウトすることができる。
【００２５】
以上上述の図５〜図８に基づく説明では、上下の横棧１０に多数の縦棧１１が軸着されて構成される柵パネル１２を、適宜間隔で立設された支柱１，１の間に架設されてなる防護柵について説明したが、支柱が適宜間隔で立設されたうえで支柱間に横棧が架設される形態（縦桟を用いない）の防護柵の場合についても、上述における支柱に接続される継手の挟着部と柵パネルを構成する横棧端部との接続と同様にして支柱に横棧が架設されればよい。
【００２６】
最後に、本発明支柱と横棧の継手の接続構造を適用した用途展開例について、図９〜図１１によって説明する。図９はこれらの用途展開に用いられる支柱１と継手２とを表し、図１０はその応用展開例の実施形態の部品と取付構造とを示す組立説明図面を表し、図１１はその用途展開の実施形態の一例である建設現場の仮囲いを示す正面図である。
【００２７】
図９（ａ），（ｂ）は支柱１断面外周方向に複数の凹部８１または凹溝８６が支柱１の長さ方向に間隔をおいて複数段形成され、この凹部または凹溝に対して継手２のバンド状部３の裏面側に形成された凸部８が係着されて、同図（ｃ）のように支柱１と横棧１０の接続がなされることを表わしている。
【００２８】
また、図１０には支柱１の長さ方向に幾分の間隔をおいて２段ずつ形成された凹溝８６，８６が、支柱１の長さ方向に適宜間隔に配設され、これら２段ずつの凹溝８６，８６に対して継手２が上下逆にされて互いに組み合わせられた状態で、支柱１に対して横棧１０が同一の高さレベルにおいて接続が可能なように構成されている。ここで、継手２のバンド状部３には前述の圧接部６が形成されて、この継手２の挟着部４での挟着ボルト８３の緊締によって圧接部６は支柱１側面に対して強力に圧接されて、よって継手２は支柱１に強固に接続される。さらにこの継手２のバンド状部３の裏面側には前述した凸部８が形成されており、この凸部８が前記支柱１の側面に２段ずつ形成された凹溝８６に係着されて支柱１と横棧１０との接続がなされる。
【００２９】
ここにおいて、凹溝８６が支柱１の断面外周方向に形成されていることによって、継手２は支柱１の外周側面を水平方向に自在に可動なため、支柱１に対して２本の横棧１０，１０はそれぞれ水平面内において自在の角度を成して接続可能である。また、横棧１０，１０の端部はそれぞれ継手２の挟着部４において垂直方向にも可動な状態で接続されるので、支柱１に対して２本の横棧１０，１０はそれぞれ水平，垂直の両方向に自在の角度を成して接続可能である。
【００３０】
このように接続される図１０に示す支柱１と継手２とを適用して組み立てられた用途展開の実施形態の一例として、図１１に建設現場で用いる仮囲いを表す。なお、図１０，１１の実施形態の一例においては、支柱１に固定された継手２の挟着部４には図１〜４の説明中に記述したキャップ８４を介在させることなく、横棧１０の端部が直接接続されるような仕様となされているが、横棧１０の端部の端面には図９，１０中に表すエンドキャップ８７が冠着されており、横棧１０の端部の端面が直接露出する危険のないように配慮がなされている。
【００３１】
なお、図１０（ａ）で継手２は、挟着部４に開孔された２箇所の連結孔８８に挟着ボルト８３を貫通させてナット８９によって緊締されるようになされるが、このナット８９を予め挟着部４の連結孔８８に溶接させた状態の継手、あるいは継手の１箇所の連結孔８８にネジ切りされてこれに対して挟着ボルト８３が螺入される形態の継手となされている場合には、ボルトの螺入作業が楽になり施工性が向上されるうえ、さらに施工現場においてナット８９を紛失するようなことがないので好適である。
【００３２】
【発明の効果】
以上詳述したように、本発明に係る支柱と横棧の継手は、支柱の外周に周回されるバンド状部と該バンド状部両端より平行に突出されて横棧の端部を挟着する挟着部とからなる継手の、バンド状部の支柱と対向する裏面側に係止手段が設けられ、バンド状部を支柱に周回させて前記挟着部を横棧に挟着させた際、継手の前記係止手段がバンド状部の支柱と対向する裏面側から支柱側面部に係止され、継手の製造寸法誤差とは関係無く直接的に支柱との接続がなされるので、支柱に対して横棧が確実に接続されてズレを起こしたりすることがない。
【００３３】
また、バンド状部に設けられた前記係止手段が、バンド状部に突設した複数の圧接部として形成されると共に前記圧接部はこのバンド状部が支柱の外周に沿って周回された際に支柱の横棧側の半円周側面側において支柱と当接されるような位置に形成されており、継手の挟着部を横棧の端部に挟着させた際に、該複数の圧接部が支柱の横棧側の半円周側面に強圧接されて、支柱と横棧との接続がなされるので、この圧接部が支柱の横棧側の半円周側面に対して少なくとも２箇所、あるいは４箇所等の複数箇所から支柱側面に対して複数の圧接数がバランスよく当接されて、挟着部の挟着ボルトを締め付けてゆくのに応じて益々強力に圧接されるので、圧接部が支柱の側面に食い込むように強圧接されて接続がなされ、たとえ設置後に横棧に大きな力が加わった際においても継手がズレを起こしたりすることが無く、支柱と横棧との確実で強力な接続がなされる。
【００３４】
さらに、継手のバンド状部のほぼ中央部分に該バンド状部の他の部分とは曲げ剛性の異なる変異部が設けられ、バンド状部両端より平行に突出された挟着部の間隔を拡幅した際に、該変異部を中心としてバンド状部の他の部分を変形させることなくバンド状部の拡開を可能になされた場合には、支柱に対してその側面から継手を装着する際に平行する挟着部を容易に拡げることができ、かつ変異部がバンド状部のほぼ中央部分にあるので２つの平行した挟着部をバランスよく拡幅できて拡げた際にバンド状部の他の部分を変形させることがない。
【００３５】
さらにまた、継手のバンド状部の支柱と対向する裏面側に凸部が形成されて、一方支柱の側面に前記凸部に対応して凹部または孔部が形成され、継手の挟着部を横棧に挟着させた際、バンド状部に形成された凸部が支柱側面の凹部あるいは支柱側面の孔部のいずれかと係着されて継手と支柱との接続がなされた場合には、前記凸部が支柱側面の凹部あるいは支柱側面の孔部に係着されて挟着部を横棧に挟着させた際に支柱の凹部あるいは支柱側面の孔部から脱落することがなくなるので、継手が支柱との接続部分でズレを起こすことなく、支柱と横棧との確実な接続が維持される。
【００３６】
そしてまた、支柱の断面外周方向に沿った複数の凹部または凹溝が支柱の長さ方向に間隔をおいて複数段形成され、これら複数の凹部のいずれかまたは凹溝のいずれかに継手のバンド状部の支柱と対向する裏面側に形成された凸部が係着されて横棧が支柱の周りに水平に可動な状態で支柱と横棧が接続された場合には、継手と横棧との接続部における垂直面での可動性と併せ、支柱と横棧とが水平面，垂直面の両方向に対して自在の角度を以て接続可能な支柱と横棧との接続構造が構成される。
【００３７】
なお、発明の効果のいずれの記述においても継手と横棧との接続は垂直面方向に自在な接続構造となされており、継手のバンド状部から平行する挟着部が挟着ボルトの緊締によって継手が支柱に固定されるまでは水平面方向にも可動であるので、組立設置時点においては支柱に継手を自在に配設できて、かつ挟着部の挟着がなされた後においては確実にかつ強固に接続がなされ、施工性が良くてかつ設置後の堅牢性の優れた支柱と横棧の接続がなされる。
【図面の簡単な説明】
【図１】  支柱と横棧の継手の構成の参考例を表す図面であり、（ａ）は分解斜視図、（ｂ）は組立斜視図、（ｃ）は組立説明の上面図である。
【図２】本発明の第二の実施形態例を示す支柱と横棧の継手の構成を表す図面であり、（ａ），（ｂ）は分解斜視図、（ｃ）は組立説明用の上面図である。
【図３】本発明の第三の実施形態例を示す支柱と横棧の継手の構成を表す図面であり、（ａ），（ｂ）は分解斜視図、（ｃ）は部分の加工状態を示す斜視図、（ｄ）は組立説明用の上面図である。
【図４】本発明の第四の実施形態例を示す支柱と横棧の継手の構成を表す図面であり、（ａ）は分解斜視図、（ｂ），（ｃ）は部分の加工状態を示す斜視図、（ｄ），（ｅ）は組立説明用の上面図である。
【図５】本発明の継手を適用して傾斜地に組み立てられた防護柵の実施形態の一例の、（ａ）は正面図であり、（ｂ），（ｃ）はその部分拡大図である。
【図６】本発明の継手を適用して傾斜地に組み立てられた防護柵の他の実施形態例の、（ａ）は正面図であり、（ｂ），（ｃ）はその部分拡大図である。
【図７】本発明の継手を適用して平坦地に組み立てられた防護柵の実施形態の一例の、（ａ）は正面図であり、（ｂ），（ｃ）はその部分拡大図である。
【図８】本発明を適用して組み立てられた防護柵の作動を説明する上面図である。
【図９】本発明の第五の実施形態例を示す支柱と横棧の取付構造を表す斜視図であり、（ａ），（ｂ）は支柱の斜視図、（ｃ）は継手部分の分解斜視図である。
【図１０】本発明の第六の実施形態例を示す支柱と横棧の取付構造を表す組立図であり、（ａ）は組立分解斜視図、（ｂ）は組立構成を示す正面図である。
【図１１】図１０の実施形態例を適用して組み立てられた、建築現場の仮囲いの施工実例を表す正面図である。
【図１２】防護柵の支柱と横棧の連結に関する従来の実施形態の、（ａ）は分解斜視図、（ｂ）は上面図、（ｃ）は正面図である。
【符号の説明】
１    支柱
１０  横棧
１１  縦棧
１２  柵パネル
２    継手
２１  シングルバンド継手
２２  ダブルバンド継手
３    バンド状部
４    挟着部
５    係止部
６    圧接部
７    変異部
７０  変異部
８    凸部
８１  凹部
８２  孔部
８３  挟着ボルト
８４  キャップ
８５  キャップボルト
８６  凹溝
８７  エンドキャップ
８８  連結孔
８９  ナット
９    ブラケット
９０  支柱
９１  支柱挟持部
９２  ビーム挟持部
９３  ビーム
９４  ボルト
９５  孔
９６  ボルト
９７  孔
９８  位置決め板
９９  開口
【図１】
0003774325.tif 000002
【図２】
0003774325.tif 000003
【図３】
0003774325.tif 000004
【図４】
0003774325.tif 000005
【図５】
0003774325.tif 000006
【図６】
0003774325.tif 000007
【図７】
0003774325.tif 000008
【図８】
0003774325.tif 000009
【図９】
0003774325.tif 000010
【図１０】
0003774325.tif 000011
【図１１】
0003774325.tif 000012
【図１２】
0003774325.tif 000013